(57)【特許請求の範囲】
【請求項１】
給紙カセットの底板に、用紙端部の位置決めを行う規制部材を移動させるための移動用溝と、該移動用溝に対して垂直方向に複数の位置決め用溝と、該移動用溝の前端部に規制部材の抜け止め用突起を挿入して回転できる回転用孔とを設け、
該規制部材は垂直部と水平部とにより側面視Ｌ字状に構成しており、該垂直部は用紙端部受け止めとしており、該水平部の裏面に、該移動用溝から挿入し回転用孔で回転後に、抜け出し不能に挿入される抜け止め用突起と、該位置決め用溝に係合する位置決め用突起とを一体成形にて設け、該規制部材の移動時には、位置決め用突起が引っ掛からない位置に該垂直部を持ち上げて、該規制部材が斜めの状態で該移動用溝に沿って摺動でき、所望の用紙端部の位置決めを行うようにしたことを特徴とする給紙カセット。
【請求項２】
前記抜け止め用突起を規制部材の裏面中央部より下方に突出し、該抜け止め用突起は垂直な支柱部と、該支柱部下端より水平方向へ突出した抜け止めバーより構成し、
該支柱部は回転用孔内で９０度回転できる幅とし、
前記抜け止めバーの前後方向の長さＬ３は、前記位置決め用溝の前後幅Ｌ５より長くして抜けないように構成したことを特徴とする請求項１記載の給紙カセット。
【発明の詳細な説明】
【０００１】
【産業上の利用分野】
本発明は、一つの給紙カセットで数種の用紙をセットできるようにするための技術に関する。
【０００２】
【従来の技術】
従来からファクシミリや複写機等の給紙カセットは種類の異なる用紙でも、カセット内に設ける規制部材を調節することで、数種の用紙に対応してセットできるようにしている。つまり、共通部品を用いて、その部品の中の規制部材で、用紙の後端や側端の辺の位置決めを行えるようにすることで、コスト低減化を図っていたのである。この規制部材の位置決めする手段としては、ネジやピン等により用紙サイズに応じて設定位置に規制部材を固定したり、規制部材自体を嵌合して固定するようにしていた。
【０００３】
【発明が解決しようとする課題】
しかし、従来の規制部材を位置決めするために、ネジを用いる場合には、取付や変更する時に工具が必要となり、手間がかかってしまい、部品点数も増加してしまう。また、嵌合する構成では、規制部材やカセットの位置決め位置の構成が複雑となり、その変更する時の脱着操作が円滑にできない等の不具合があった。
【０００４】
【課題を解決するための手段】
本発明の解決すべき課題は以上の如くであり、該課題を解決するために、給紙カセットの底板に、用紙端部の位置決めを行う規制部材を移動させるための移動用溝と、該移動用溝に対して垂直方向に複数の位置決め用溝と、該移動用溝の前端部に規制部材の抜け止め用突起を挿入して回転できる回転用孔とを設け、該規制部材は垂直部と水平部とにより側面視Ｌ字状に構成しており、該垂直部は用紙端部受け止めとしており、該水平部の裏面に、該移動用溝から挿入し回転用孔で回転後に、抜け出し不能に挿入される抜け止め用突起と、該位置決め用溝に係合する位置決め用突起とを一体成形にて設け、該規制部材の移動時には、位置決め用突起が引っ掛からない位置に該垂直部を持ち上げて、該規制部材が斜めの状態で該移動用溝に沿って摺動でき、所望の用紙端部の位置決めを行うようものである。
また、前記抜け止め用突起を規制部材の裏面中央部より下方に突出し、該抜け止め用突起は垂直な支柱部と、該支柱部下端より水平方向へ突出した抜け止めバーより構成し、該支柱部は回転用孔内で９０度回転できる幅とし、前記抜け止めバーの前後方向の長さＬ３は、前記位置決め用溝の前後幅Ｌ５より長くして抜けないように構成したものである。
【０００５】
【作用】
このような手段を用いることによって、請求項１によれば、規制部材は移動用溝に沿って用紙サイズに合わせて移動させることができ、その所望の位置で位置決め溝に位置決め用突起を嵌合して位置決めを行うことができる。また、規制部材は給紙カセットの底板より着脱することができて、組立や部品交換が容易に行え、複数配置された位置決め用溝で数種の用紙サイズを選択でき、そのセットした位置では規制部材は、位置決め用突起を位置決め溝に係合することで移動できないようにすることができる。そして、規制部材を移動させるときには、垂直部を持ち上げても抜け止め用突起が抜けずに移動用溝に挿入されているので、位置決め用突起が引っ掛からない位置に該垂直部を持ち上げて、該規制部材が斜めの状態で、移動用溝に沿ってガイドとなる。更に、請求項２によれば、支柱部が移動用溝に挿入されて、規制部材を移動させるときには移動用溝に沿ってガイドとなり、抜け止めバーは位置決め位置で移動用溝より抜けることを防止する。
【０００６】
【実施例】
次に本発明の一実施例をファクシミリの給紙カセットに適用した場合について、図面に従って説明すると、図１はファクシミリの全体側面断面図、図２は給紙カセットの平面図、図３は規制部材の側面図、図４は同じく底面図、図５は同じく正面図、図６は図５に於けるＸ−Ｘ断面図、図７は規制部材を移動用溝にセットする状態の斜視図、図８は規制部材を移動用溝に沿って移動させている状態の側面断面図である。
【０００７】
図１に示す普通紙記録型のファクシミリにおいて、本体ケース１最上部に操作パネル２が配設され、該操作パネル２は上部ケース５前上部に配置されて、該操作パネル２下部と上部ケース５の間を送信する原稿を通過させるように構成して、操作パネル２後方の上部ケース５上に原稿挿入口３を設け、操作パネル２下方に読取装置４が配設され、該読取装置４は上部ケース５の前上部に収納され、該上部ケース５下部と本体ケース１上部の間を記録紙が通過するように構成している。該本体ケース１の前側にはインクシート６が収納され、該インクシート６の繰出側の軸７と巻取り側の軸８の間の上部にサーマルヘッド９を配置し、受信時に搬送されてきた記録紙に情報を印刷できるようにしている。そして、本体ケース１後部に制御回路や回線回路や電源回路の基板１０・１１・１２を収納するようにし、本体ケース１下部に本発明の給紙カセットＡを上下二段収納するための収納部１ａが形成され、それぞれの給紙カセットＡの前部上には給紙ローラー１３・１３が配設されている。
【０００８】
前記給紙カセットＡは前側に合成樹脂で成形された前面カバー１４がビス等で止着され、該前面カバー１４に把手１４ａが形成されている。その後部の両側に給紙カセットＡから用紙を給紙した時に本体ケース１側へ導くガイド板１５・１５が配設されている。該ガイド板１５後部には爪１６・１６が配置され、該爪１６・１６に持ち上げ板１７の前端が係止され、該持ち上げ板１７の後部は給紙カセットＡ中途部の底板１９に枢支され、持ち上げ板１７の前下部と底板１９の間にはバネ２０・２０が介装され、用紙の前部を持ち上げるようにしている。
【０００９】
前記底板１９の後部中央には図２、図７に示すように、移動用溝２１が穿設されており、該移動用溝２１は前後方向に開口され、該移動用溝２１の前端部に後述する規制部材２３の抜け止め用突起２３ｃを挿入して回転できるように円形の回転用孔２１ａが設けられ、この回転用孔２１ａの周囲の底板１９上面には、後述する規制部材２３底面に設けたガイド突起２３ｈを案内して旋回できるようにする凹部１９ａが形成されて、更に、この回転用孔２１ａを中心として後述する規制部材２３の水平部２３ｂが旋回できる円弧部１９ｂと、前記移動用溝２１に沿って摺動することができる前後方向の凹部１９ｃを底板１９上面より低くして設け、この凹部１９ａと円弧部１９ｂが位置する前部分を取付・取外しゾーンＢとしている。
【００１０】
そして、前記移動用溝２１の前後方向中央部に直角方向に交差する位置決め用溝２１ｂ・２１ｃが穿設され、更に、移動用溝２１後方の底板１９に位置決め用溝２２が前記位置決め用溝２１ｂ・２１ｃと同じ長さで平行に穿設され、後述する規制部材２３の位置決め用突起２３ｉが挿入できるようにし、本実施例では、位置決め用溝２１ｂをレターサイズに、位置決め用溝２１ｃをＡ４サイズに、位置決め用溝２２をリーガルサイズにそれぞれ合わせられるようにし、移動用溝２１の後部の凹部１９ｃと位置決め用溝２１ｂ・２１ｃが位置する部分を移動ゾーンＣとしている。なお、本実施例では、米国におけるレターサイズ、リーガルサイズ、国際標準のＡ４サイズに合わせられるようにしているが、このサイズに限定されるものではなく、Ｂ列にも合わせられるように構成することも、また、用紙の左右の幅方向も同様に構成することによって位置調整ができるようにして多種類の用紙サイズに合わせるように構成することもできる。
【００１１】
前記規制部材２３の構成は合成樹脂を射出成型することによって得られ、図３〜図７に示すように、垂直部２３ａと水平部２３ｂとにより側面視Ｌ字状に構成されて、垂直部２３ａにより用紙の後端部分を受け止めてズレないようにし、水平部２３ｂの前部中央に型抜き用孔２３ｇ・２３ｇを左右に設けて、この型抜き用孔２３ｇ・２３ｇの間に横架部２３ｆを形成し、該横架部２３ｆ中央下方より抜け止め用突起２３ｃが突出され、該抜け止め用突起２３ｃは垂直下方へ突出された支柱部２３ｄと該支柱部２３ｄ下端より左右両側方へ水平に突出した抜け止めバー２３ｅより構成されている。
【００１２】
該支柱部２３ｄの左右方向の幅Ｌ１は前記移動用溝２１の幅Ｌ２より若干狭くして移動用溝２１内を容易に摺動できるようにし、また、該支柱部２３ｄの前後方向の長さＬ３は左右方向の幅Ｌ１と略同じ長さとして前記取付・取外しゾーンＢで抜け止めバー２３ｅが移動用溝２１に挿入できるようにし、該支柱部２３ｄの断面の対角線の長さは前記取付・取外しゾーンＢの中央に設けた回転用孔２１ａの直径より短くしてその位置で回転できるようにし、前記抜け止めバー２３ｅの左右幅Ｌ４は移動用溝２１の幅Ｌ２よりも長くし、また、前後方向の長さＬ３は前記位置決め用溝２１ｂ・２１ｃの前後幅Ｌ５より長くして抜けないようにし、更に、該抜け止めバー２３ｅの上面２３ｊは円弧状に構成して、抜け止めバー２３ｅを移動用溝２１に挿入して規制部材２３を斜めにした状態でスムースに摺動できるようにしている。
【００１３】
また、支柱部２３ｄ前部の横架部２３ｆ下面には同じ幅で水平部２３ｂの下面よりわずかに下方へ突出したガイド突起２３ｈが設けられ、規制部材２３をセットした時に前記移動用溝２１に嵌合して回転しないようにしている。そして、規制部材２３の水平部２３ｂ後部底面に位置決め用突起２３ｉが左右方向に下方へ突出され、該位置決め用突起２３ｉの左右幅Ｌ６及び前後幅Ｌ７は前記位置決め用溝２１ｂ・２１ｃ・２２の左右幅Ｌ８、前後幅Ｌ５に合わせて若干短くして嵌合できるようにし、下端は曲面又は面取りして位置決め用溝２１ｂ・２１ｃ・２２に挿入し易くしている。
【００１４】
このような構成において、規制部材２３をセットする場合には、図７に示すように、規制部材２３を左右方向に向けた状態で、抜け止めバー２３ｅを取付・取外しゾーンＢの移動用溝２１に挿入し、支柱部２３ｄを中心に回転用孔２１ａで規制部材２３が前後方向を向くように９０度回転させる。次に、図８に示すように、位置決め用突起２３ｉが引っ掛からないように垂直部２３ａを少し持ち上げて斜めの状態で（抜け止めバー２３ｅは底板１９より下方に位置させる）、移動用溝２１に沿って給紙カセットＡにセットする用紙のサイズ位置まで後方へ摺動し、このとき抜け止めバー２３ｅの上面２３ｊは曲面であるのでスムースに移動でき、位置決め用突起２３ｉを所望の位置決め用溝２１ｂ・２１ｃ・２２のいずれかに挿入することで、規制部材２３の垂直部２３ａが垂直になって固定され、用紙後端の位置決めをすることができる。
【００１５】
【発明の効果】
本発明は以上の如く構成したので、次のような効果を奏するのである。即ち、請求項１の如く、カセットの底面を加工して移動用溝と位置決め用溝を構成し、移動用溝に沿って移動できる規制部材を設けることで、部品点数が少なく簡単な構成で用紙の位置決め機構を構成することができ、コスト低減化が図れるようになり、用紙サイズに合わせた規制部材の位置決めは、規制部材を移動用溝に沿って移動させて、所望の位置決め用溝に位置決め用突起を嵌合するだけで簡単でしかも確実に位置決めして固定できるようになった。そして、その位置で規制部材は前後移動ができないので、使用中に簡単に外れることがなく確実に位置決めができる。更に、規制部材の垂直部を持ち上げると、位置決め用溝から位置決め用突起が簡単に外れ、前後移動自在となる一方、移動用溝には抜け止め用突起が係合したままなので、位置決め用突起が引っ掛からない位置に該垂直部を持ち上げて、該規制部材が斜めの状態で、移動用溝に沿って容易に規制部材を所望位置へ前後移動させて、再び位置決め用突起を位置決め用溝に係合し、位置決めすることができる。このように、位置決め位置での移動用溝に対する抜け止めの構成が簡単となり、また、移動用溝より取り外すことも簡単に行え、規制部材自体が簡単な構成となり、射出成型で一体的に製作することができて部品点数も削減され、一つの規制部材で数カ所の位置決めができるようになり、コスト低減化が図れたのである。
【００１６】
また、特に抜け止め用突起は、樹脂製の規制部材にて一体成形で構成することで弾性変形が可能なので、移動用溝への着脱が容易となる。即ち、規制部材を取り付けたり、外したりすることが容易に行えて、用紙サイズの変更や規制部材の組立や交換等が容易に行えるようになる。
【００１７】
請求項２の如く構成したので、位置決め位置での移動用溝に対する抜け止めの構成が簡単となり、また、移動用溝より取り外すことも簡単に行え、規制部材自体が簡単な構成となり、射出成型で一体的に製作することができて部品点数も削減され、コスト低減化が図れたのである。
【図面の簡単な説明】
【図１】ファクシミリの全体側面断面図である。
【図２】給紙カセットの平面図である。
【図３】規制部材の側面図である。
【図４】同じく底面図である。
【図５】同じく正面図である。
【図６】図５に於けるＸ−Ｘ断面図である。
【図７】規制部材を移動用溝にセットする状態の斜視図である。
【図８】規制部材を移動用溝に沿って移動させている状態の側面断面図である。
【符号の説明】
Ａ  給紙カセット
１９  底板
２１  移動用溝
２１ｂ・２１ｃ・２２  位置決め用溝
２３  規制部材
２３ｃ  抜け止め用突起
２３ｄ  支柱部
２３ｅ  抜け止めバー
【図１】
0003585535.tif 000002
【図２】
0003585535.tif 000003
【図３】
0003585535.tif 000004
【図４】
0003585535.tif 000005
【図５】
0003585535.tif 000006
【図６】
0003585535.tif 000007
【図７】
0003585535.tif 000008
【図８】
0003585535.tif 000009